(57)【要約】【課題】筐体１の内部に物品の収容室が形成されると共に、該収容室を塞ぐ蓋体２が設けられ、蓋体２の内面には防水パッキン４が取り付けられている電子機器において、高い防水性能を実現する。【解決手段】本発明に係る電子機器において、筐体１には、収容室の開口15の周囲に拡がって防水パッキン４が設置されるべき座面13と、該座面13を包囲して該座面13の外周縁から立ち上がる内周面14とが形成されている。防水パッキン４は、弾性樹脂部材41と、該弾性樹脂部材41の内部に埋設された金属部材40とから構成され、該弾性樹脂部材41の表面には、筐体１の座面13に圧接されるべき第１突条42と、筐体１の内周面14に圧接されるべき第２突条43とが形成されている。金属部材40は２枚の金属板５、６を重ね合わせて構成され、一方の金属板６には、他方の金属板５の表面に向かって突出する複数の折曲げ片61が形成されている。【選択図】図４
2014127613.tif 000002
【特許請求の範囲】
【請求項１】
筐体の内部に物品の収容室が形成されると共に、該収容室を塞ぐ蓋体が開閉可能に設けられ、該蓋体の内面には、蓋体の閉じ状態で前記収容室への水の浸入を阻止するための防水パッキンが取り付けられている電子機器において、
前記筐体には、前記収容室の開口の周囲に拡がって前記防水パッキンが設置されるべき座面と、該座面を包囲して該座面の外周縁から立ち上がる内周面とが形成され、
前記防水パッキンは、前記収容室の開口よりも輪郭の大きな弾性樹脂部材と、該弾性樹脂部材の内部に埋設された金属部材とから構成され、該弾性樹脂部材の表面には、前記筐体の座面に圧接されるべき第１突条が前記収容室を包囲して環状に形成されると共に、前記筐体の内周面に圧接されるべき第２突条が前記収容室を包囲して環状に形成されており、
前記金属部材は、前記蓋体の閉じ状態で前記筐体の座面と平行に設置されるべき２枚の金属板から構成され、少なくとも何れか一方の金属板には、他方の金属板の表面に向かって突出しその先端が該表面に当接する複数の折曲げ片が形成されていることを特徴とする、蓋体を具えた電子機器。
【請求項２】
前記複数の折曲げ片は、前記一方の金属板の外周縁に沿って、該外周縁に近接して形成されている請求項１に記載の電子機器。
【請求項３】
前記２枚の金属板はそれぞれ略矩形状を呈し、前記複数の折曲げ片は、前記一方の金属板の４辺に近接して形成されている請求項２に記載の電子機器。
【請求項４】
前記２枚の金属板の内、筐体の収容室側に配置されるべき金属板には、蓋体の閉じ状態で収容室内の物品と対向する領域に、前記複数の折曲げ片の中の複数の折曲げ片によって包囲される開口部が形成され、前記弾性樹脂部材の表面には、該開口部の形状に応じて凹む凹部が形成されている請求項１乃至請求項３の何れかに記載の電子機器。
【発明の詳細な説明】
【技術分野】
【０００１】
本発明は、デジタルカメラの如く開閉可能な蓋体を具えた電子機器に関するものである。
【背景技術】
【０００２】
従来、デジタルカメラ等の電子機器においては、筐体の内部に、メモリカードやバッテリー等の物品を収容するための収容室が形成されると共に、該収容室を塞ぐ蓋体が開閉可能に設けられている。
【０００３】
ところで、防水構造を有する筐体を具えた電子機器においては、前記収容室を防水する必要があるため、蓋体には、蓋体の閉じ状態で収容室への水の浸入を阻止するための防水パッキンが取り付けられている。
【０００４】
例えば、蓋体には、収容室を包囲する様に環状に延びる支持部材が突設され、該支持部材に、環状の防水パッキンが嵌合しており、蓋体の閉じ状態では、該防水パッキンが、筐体に凹設された溝へ圧入されて、防水が図られる(特許文献１)。
【先行技術文献】
【特許文献】
【０００５】
【特許文献１】特開２００８−２８８１７４号公報
【発明の概要】
【発明が解決しようとする課題】
【０００６】
しかしながら、蓋体に取り付けた防水パッキンを筐体の溝へ圧入する従来の防水構造では、防水パッキンが筐体の収容室の開口面と平行な一方向にのみ圧縮されるに過ぎないため、経年変化により筐体の溝の幅が拡大する等の原因により、防水パッキンの前記一方向の弾性反発力が弱まった場合、防水性能が大きく低下し、筐体の収容室に水が浸入する虞があった。
【０００７】
そこで本発明の目的は、筐体の内部に物品の収容室が形成されると共に、該収容室を塞ぐ蓋体が開閉可能に設けられ、該蓋体の内面には、蓋体の閉じ状態で収容室への水の浸入を阻止するための防水パッキンが取り付けられている電子機器において、従来よりも高い防水性能を実現することである。
【課題を解決するための手段】
【０００８】
本発明に係る電子機器においては、筐体(１)に、収容室(10)の開口(15)の周囲に拡がって防水パッキン(４)が設置されるべき座面(13)と、該座面(13)を包囲して該座面(13)の外周縁から立ち上がる内周面(14)とが形成されている。
防水パッキン(４)は、前記収容室(10)の開口(15)よりも輪郭の大きな弾性樹脂部材(41)と、該弾性樹脂部材(41)の内部に埋設された金属部材(40)とから構成され、該弾性樹脂部材(41)の表面には、前記筐体(１)の座面(13)に圧接されるべき第１突条(42)が前記収容室(10)を包囲して環状に形成されると共に、前記筐体(１)の内周面(14)に圧接されるべき第２突条(43)が前記収容室(10)を包囲して環状に形成されている。
そして、前記金属部材(40)は、前記蓋体(２)の閉じ状態で前記筐体(１)の座面(13)と平行に設置されるべき２枚の金属板(５)(６)から構成され、少なくとも何れか一方の金属板(６)には、他方の金属板(５)の表面に向かって突出しその先端が該表面に当接する複数の折曲げ片(61)が形成されている。
【０００９】
上記本発明の電子機器によれば、蓋体(２)の閉じ状態で、防水パッキン(４)を構成する弾性樹脂部材(41)の第１突条(42)が筐体(１)の座面(13)に圧接されて、第１の防水構造が構成されると共に、弾性樹脂部材(41)の第２突条(43)が筐体(１)の内周面(14)に圧接されて、第２の防水構造が構成される。
【００１０】
ここで、弾性樹脂部材(41)の内部には、２枚の金属板(５)(６)からなる金属部材(40)が埋設され、一方の金属板(６)の複数の折曲げ片(61)の先端が他方の第１金属板(５)の表面に当接することにより、２枚の金属板(５)(６)は互いに一定の間隔をおいて配置されているので、弾性樹脂部材(41)の全体的な弾性変形が抑制され、この結果、第１突条(42)がその突出方向に十分な弾性反発力を発揮すると共に、第２突条(43)がその突出方向に十分な弾性反発力を発揮することになる。
【００１１】
これによって、第１及び第２の防水構造がそれぞれ高い防水性能を発揮し、この２重の防水構造によって、蓋体(２)の閉じ状態では筐体(１)の収容室(10)に対して高い防水性能が発揮されることになる。
【００１２】
具体的態様において、前記複数の折曲げ片(61)は、前記一方の金属板(６)の外周縁に沿って、該外周縁に近接して形成されている。
更に具体的には、前記２枚の金属板(５)(６)はそれぞれ略矩形状を呈し、前記複数の折曲げ片(61)は、前記一方の金属板(６)の４辺に近接して形成されている。
【００１３】
該具体的態様によれば、防水パッキン(４)の第１突条(42)が筐体(１)の座面(13)から受ける圧力は、２枚の金属板(５)(６)の平板部によって有効に受け止められ、防水パッキン(４)の第２突条(43)が筐体(１)の内周面(14)から受ける圧力は、複数の折曲げ片(61)によって有効に受け止められる。
【００１４】
他の具体的態様において、前記２枚の金属板(５)(６)の内、筐体(１)の収容室(10)側に配置されるべき金属板(６)には、蓋体(２)の閉じ状態で収容室(10)内の物品と対向する領域に、前記複数の折曲げ片(61)の中の複数の折曲げ片(61)によって包囲される開口部(60)が形成され、前記弾性樹脂部材(41)の表面には、該開口部(60)の形状に応じて凹む凹部(44)が形成されている。
【００１５】
該具体的態様によれば、蓋体(２)の閉じ状態で、筐体(１)の収容室(10)から臨出する物品の頭部が、蓋体(２)の防水パッキン(４)の凹部(44)に収容されることになり、これによって蓋体(２)と物品との干渉が回避される。
【発明の効果】
【００１６】
本発明に係る電子機器によれば、防水パッキンを用いた２重の防水構造によって従来よりも高い防水性能が得られる。
【図面の簡単な説明】
【００１７】
【図１】図１は、本発明の一実施形態であるデジタルカメラの斜視図である。
【図２】図２は、該デジタルカメラにおいて蓋体を開いた状態を示す斜視図図である。
【図３】図３は、該デジタルカメラの水平断面図である。
【図４】図４は、図３のＡ部を拡大した断面図である。
【図５】図５は、防水パッキンの斜視図である。
【図６】図６は、防水パッキンの断面図である。
【図７】図７は、防水パッキンに埋設されている金属部材の斜視図である。
【図８】図８は、金属部材の分解斜視図である。
【発明を実施するための形態】
【００１８】
以下、本発明をデジタルカメラに実施した形態につき、図面に沿って具体的に説明する。
本発明の一実施形態であるデジタルカメラは、図１及び図２に示す如く、撮影レンズ(11)及びシャッター釦(12)が配備されて防水構造を有する筐体(１)の側部に、ヒンジ機構(３)を介して蓋体(２)が開閉可能に枢支されている。
【００１９】
そして、蓋体(２)の内面に配備された板部材(22)には、矩形板状の防水パッキン(４)が取り付けられている。
又、蓋体(２)の表面には、図１の如く蓋体(２)を閉じ状態でロックするためのロック操作片(21)が配備されている。
【００２０】
図２の如く、筐体(１)の内部には、メモリカード(９)及びバッテリー(91)を収容するための収容室(10)が形成され、該収容室(10)は、図３及び図４の如く蓋体(２)によって開閉される開口(15)を有している。
【００２１】
又、筐体(１)には、防水パッキン(４)が設置されるべき座面(13)が、開口(15)の周囲に開口(15)の開口方向と直交して形成されると共に、該座面(13)を包囲して該座面(13)の外周縁から開口(15)の開口方向へ立ち上がる内周面(14)が形成されている。
【００２２】
防水パッキン(４)は、図５及び図６に示す如く、前記筐体(１)の開口(15)よりも稍輪郭の大きな矩形板状のシリコンゴムからなる弾性樹脂部材(41)と、該弾性樹脂部材(41)の内部に埋設された金属部材(40)とから構成されている。
そして、弾性樹脂部材(41)の内面の外周部には、第１突条(42)が環状に形成されると共に、弾性樹脂部材(41)の外周面には、第１突条(42)とは突出方向が９０度異なる第２突条(43)が環状に形成されている。
【００２３】
図４の如く蓋体(２)の閉じ状態で、防水パッキン(４)の弾性樹脂部材(41)の第１突条(42)は、筐体(１)の座面(13)に圧接され、第２突条(43)は、筐体(１)の内周面(14)に圧接されることになる。
【００２４】
防水パッキン(４)の金属部材(40)は、図７及び図８の如く、ステンレス鋼製の第１金属板(５)と第２金属板(６)とを互いに重ね合わせて構成されている。
第１金属板(５)は矩形平板状を呈している。一方、第２金属板(６)は、矩形平板状の鋼材をプレス加工して形成され、外周縁の４辺に沿って外周縁の近傍位置を折り曲げ成形してなる複数の第１折曲げ片(61)と、該第１折曲げ片(61)よりも内側領域を折り曲げ成形してなる複数の第２折曲げ片(62)とを有している。
又、第２金属板(６)には、第１折曲げ片(61)と第２折曲げ片(62)の成形に伴って打ち抜き成形された開口部(60)が設けられている。
【００２５】
上記防水パッキン(４)において、金属部材(40)は、図６及び図７の如く、第２金属板(６)の第１折曲げ片(61)及び第２折曲げ片(62)の先端を第１金属板(５)の表面に当接させた状態で、インサートモールドにより弾性樹脂部材(41)内に埋設されている。
【００２６】
これによって、第１金属板(５)と第２金属板(６)は、折曲げ片(61)(62)の高さに応じた間隙Ｇをおいた互いに平行な位置関係に保持される。
又、弾性樹脂部材(41)の内面には、第２金属板(６)の開口部(60)の形状に応じて凹んだ凹部(44)が形成される。
【００２７】
図４に示す如く、蓋体(２)を閉じてロック操作片(21)の操作によって蓋体(２)をロックした状態では、防水パッキン(４)の金属部材(40)は、筐体(１)の座面(13)と平行に設置されることとなり、第２金属板(６)の第１折曲げ片(61)は、筐体(１)の内周面(14)と略平行に設置されることとなる。
又、防水パッキン(４)の凹部(44)には、筐体(１)の開口(15)から臨出するメモリカード(９)の頭部が収容されることになる。
【００２８】
この状態で、防水パッキン(４)の第１突条(42)が筐体(１)の座面(13)に圧接されて第１の防水構造が構成されると共に、防水パッキン(４)の第２突条(43)が筐体(１)の内周面(14)に圧接されて第２の防水構造が構成される。
【００２９】
ここで、防水パッキン(４)の弾性樹脂部材(41)の内部には、２枚の金属板(５)(６)からなる金属部材(40)が埋設されているので、弾性樹脂部材(41)の全体的な弾性変形(屈曲や捻れ等)が抑制され、弾性樹脂部材(41)に対して適度な強度が与えられる。
【００３０】
その結果、第１突条(42)がその突出方向に十分な弾性反発力を発揮すると共に、第２突条(43)がその突出方向に十分な弾性反発力を発揮することになる。この際、第１突条(42)に作用する反力は、第１金属板(５)及び第２金属板(６)の平板状部によって有効に受け止められ、第２突条(43)に作用する反力は、第２金属板(６)の第１折曲げ片(61)によって有効に受け止められる。
【００３１】
これによって、第１突条(42)が筐体(１)の座面(13)に十分な力で圧接されて、第１の防水構造が高い防水性能を発揮すると共に、第２突条(43)が筐体(１)の内周面(14)に十分な力で圧接されて、第２の防水構造が高い防水性能を発揮する。
そして、この２重の防水構造の高い防水性能によって、筐体(１)の収容室(10)に対して高い防水性が得られることになる。
【００３２】
上述の如く、上記デジタルカメラによれば、蓋体(２)の閉じ状態で、筐体(１)の収容室(10)に対して高い防水性が得られるので、収容室(10)に水が浸入する虞はない。
又、仮に一方の防水構造の防水性能が低下したとしても、他方の防水構造が高い防水性能を維持することによって、収容室(10)への水の浸入は阻止される。
【００３３】
然も、図４の如く筐体(１)の開口(15)から臨出するメモリカード(９)の頭部が防水パッキン(４)の凹部(44)に収容されることになるので、蓋体(２)とメモリカード(９)との干渉が回避される。
【００３４】
尚、本発明の各部構成は上記実施の形態に限らず、特許請求の範囲に記載の技術的範囲内で種々の変形が可能である。
又、本発明は、デジタルカメラに限らず、蓋体を具えた種々の電子機器に実施することが出来る。
【符号の説明】
【００３５】
(１)  筐体
(10)  収容室
(13)  座面
(14)  内周面
(15)  開口
(２)  蓋体
(４)  防水パッキン
(40)  金属部材
(41)  弾性樹脂部材
(42)  第１突条
(43)  第２突条
(44)  凹部
(５)  第１金属板
(６)  第２金属板
(60)  開口部
(61)  第１折曲げ片
(62)  第２折曲げ片
(９)  メモリカード
(91)  バッテリー
【図１】
2014127613.tif 000003
【図２】
2014127613.tif 000004
【図３】
2014127613.tif 000005
【図４】
2014127613.tif 000006
【図５】
2014127613.tif 000007
【図６】
2014127613.tif 000008
【図７】
2014127613.tif 000009
【図８】
2014127613.tif 000010